(57)【特許請求の範囲】
【請求項１】
引き戸が取り付けられるべき建物の開口上縁部の長手方向に沿って取付具を介して互いに並行に配設された第一および第二固定レールと、該第一および第二固定レールに転動自在に支持されたローラーとを有する内扉および外扉とからなる引き戸装置であって、
前記第一および第二固定レールに、それぞれ固定レールの長手方向に沿って互いに並行に第一載架部と、第二載架部とが、仕切部によって離間されて設けられ、
前記ローラーが、前記第一載架部に載架される第一ローラーと、前記第二載架部に載架される第二ローラーとからなり、
前記内扉に設けられた一対の前記第一ローラーおよび第二ローラーのうち、扉閉鎖動作時の進行方向を前方とした場合の後方端部に設けられた一対の前記第一ローラーおよび第二ローラーのローラー径のみが、他のローラー径よりも小さく形成されてなることを特徴とする引き戸装置。
【請求項２】
前記外扉の上縁部に沿って、長手方向にほぼＬ字状の当接体が延設され、
該当接体が、前記内扉の上端部に設けられた前記ローラーと当接する請求項１記載の引き戸装置。
【請求項３】
前記当接体に、当接体の上下方向の位置を調節するための調節部材が設けられてなる請求項１または２記載の引き戸装置。
【請求項４】
前記調節部材が、前記外扉の上縁部に設けられたローラー支持部と、前記ローラー支持部の上縁部より延設された当接体とを接続する部材である請求項１〜３のいずれか１項に記載の引き戸装置。
【請求項５】
前記固定レールの上縁部から水平方向に延設された後、鴨居の下縁部に向かって延設されたほぼＬ字状の化粧板が設けられてなる請求項１〜４のいずれか１項に記載の引き戸装置。
【請求項６】
引き戸が取り付けられるべき建物の開口上縁部の長手方向に沿って取付具を介して互いに並行に配設された第一および第二固定レールと、該第一および第二固定レールに転動自在に支持されたローラーとを有する内扉および外扉とからなる引き戸装置であって、
前記第一および第二固定レールに、それぞれ固定レールの長手方向に沿って互いに並行に第一載架部と、第二載架部とが、仕切部によって離間されて設けられ、
前記ローラーが、前記第一載架部に載架される第一ローラーと、前記第二載架部に載架される第二ローラーとからなり、
前記外扉の上縁部に沿って、長手方向にほぼＬ字状の当接体が延設され、
該当接体が、前記内扉の上端部に設けられた前記ローラーと当接し、
前記内扉の後方側に設けられた前記第一ローラーの厚さが、前記内扉の前方側に設けられた前記第一ローラーの厚さよりも小さく、
前記当接体に、前記内扉の前方側に設けられた第一ローラーの厚さよりも小さく、かつ後方側に設けられた前記第一ローラーの厚さよりも大きく形成された切欠きが設けられてなる引き戸装置。
【請求項７】
前記当接体に、当接体の上下方向の位置を調節するための調節部材が設けられてなる請求項６記載の引き戸装置。
【請求項８】
前記調節部材が、前記外扉の上縁部に設けられたローラー支持部と、前記ローラー支持部の上縁部より延設された当接体とを接続する部材である請求項６または７記載の引き戸装置。
【請求項９】
前記固定レールの上縁部から水平方向に延設された後、鴨居の下縁部に向かって延設されたほぼＬ字状の化粧板が設けられてなる請求項６〜８のいずれか１項に記載の引き戸装置。
【発明の詳細な説明】
【技術分野】
【０００１】
本発明は、引き戸装置に関する。さらに詳しくは、建物の開口上縁部の長手方向に沿って設置される引き戸装置であって、２つの固定レールに、外扉および内扉が、ローラーを介して転動自在かつ安定に載架されてなる引き戸装置に関する。
【背景技術】
【０００２】
従来の引き戸装置としては、引き戸を支える敷居に溝を設けるか、または引き戸の下部に戸車、敷居にはレールを設けていたため、敷居の溝やレールにはごみが溜まり易く、また設置場所が建物の中である場合、たとえば杖をついた老人の歩行を妨げたり、車椅子の方の通過を妨げることがあった。そこで、最近では吊下げ式の引き戸装置が種々開発されている。
【０００３】
たとえば、特許文献１には、引き戸のためのレール金具を壁面上部に固定した引き戸装置に関する技術が開示されている。引き戸は、レール金具により吊下げられているため、歩行の妨げとなる敷居の溝やレールを排除することができる。
【０００４】
また、特許文献２には、扉の高さを調整できる機構を備え、必要に応じて、内扉および外扉を左右引き違いに開閉させ、または連動させることができる引き戸装置に関する技術が開示されている。
【０００５】
【特許文献１】登録実用新案第３０５８４５７号公報
【特許文献２】登録実用新案第３１３８６８７号公報
【発明の開示】
【発明が解決しようとする課題】
【０００６】
しかし、特許文献１に記載された引き戸装置は、レール金具のレールが１本であり、１枚扉にしか対応できないという問題がある。仮に、２枚扉を設けた場合、レールが１本のため、左右に引き違えることができず、扉の左右に戸袋を設ける必要がある。また、その際は、２枚の扉を左右に開ける必要があり、手間もかかるため、必ずしも杖をついた老人や車椅子の使用者にとって利便性が優れているとは言えない。さらに、床を、たとえばフローリングから畳に変更した場合や、床の上にカーペットなどの敷物を敷いた場合（もしくはすでに敷かれている敷物を取り払った場合）に実質的な床の高さが変わるときに対応できず、床の高さが高くなった場合は扉の底部が床と接して床面を傷つける、または開閉不可能となる。逆に床の高さが低くなった場合はスペースが生じるために、冷暖房の効率が悪くなる、さらにスペースに足の先などを挟み、家庭内事故の原因となることがある。
【０００７】
また、特許文献２に記載された引き戸装置は、外扉および内扉が、それぞれ固定レールの側面に対して内側方向から外側方向にかけて一方向にローラーが載架されているため、ローラーを含めた扉の重心と、固定レールの中心がずれる結果、わずかに扉が傾くこととなる。その結果、扉の開閉動作において、必ずしも安定ではなく、急な開閉動作においては、その厚さ方向の振りが特に顕著なものとなり、異音を発生させたり、両扉の接触が生じ、かかる接触によっても異音が生じることとなる。かかる異音を解消するために両扉の間に緩衝部材（スペーサー）を設けた場合であっても、当該緩衝部材と扉との接触を防ぐことはできず、少なからず異音を発生すると言う問題がある。また、当該緩衝部材の設置は、部材点数を増加させるという問題がある。
【０００８】
本発明はかかる問題を解消するためになされたものであり、部材点数の増加によらず、開閉動作における扉の安定性を向上させ、扉のがたつきをなくすこと、また、必要に応じて、内扉および外扉を左右引き違いに開閉させ、または連動させることができ、扉閉鎖時に、負荷を生じることなく、スムーズな開閉を可能とすることができる引き戸装置を提供することを目的とする。
【課題を解決するための手段】
【０００９】
本発明の引き戸装置は、引き戸が取り付けられるべき建物の開口上縁部の長手方向に沿って取付具を介して互いに並行に配設された第一および第二固定レールと、該第一および第二固定レールに転動自在に支持されたローラーとを有する内扉および外扉とからなる引き戸装置であって、前記第一および第二固定レールに、それぞれ固定レールの長手方向に沿って互いに並行に第一載架部と、第二載架部とが、仕切部によって離間されて設けられ、前記ローラーが、前記第一載架部に載架される第一ローラーと、前記第二載架部に載架される第二ローラーとからなり、前記内扉に設けられた一対の前記第一ローラーおよび第二ローラーのうち、扉閉鎖動作時の進行方向を前方とした場合の後方端部に設けられた一対の前記第一ローラーおよび第二ローラーのローラー径のみが、他のローラー径よりも小さく形成されてなることを特徴とする。
【００１０】
前記外扉の上縁部に沿って、長手方向にほぼＬ字状の当接体が延設され、該当接体が、前記内扉の上端部に設けられた前記ローラーと当接することが好ましい。
【００１１】
前記当接体に、当接体の上下方向の位置を調節するための調節部材が設けられてなることが好ましい。
【００１２】
前記調節部材が、前記外扉の上縁部に設けられたローラー支持部と、前記ローラー支持部の上縁部より延設された当接体とを接続する部材であることが好ましい。
【００１３】
前記固定レールの上縁部から水平方向に延設された後、鴨居の下縁部に向かって延設されたほぼＬ字状の化粧板が設けられてなることが好ましい。
【００１５】
また、本発明の引き戸装置は、引き戸が取り付けられるべき建物の開口上縁部の長手方向に沿って取付具を介して互いに並行に配設された第一および第二固定レールと、該第一および第二固定レールに転動自在に支持されたローラーとを有する内扉および外扉とからなる引き戸装置であって、前記第一および第二固定レールに、それぞれ固定レールの長手方向に沿って互いに並行に第一載架部と、第二載架部とが、仕切部によって離間されて設けられ、前記ローラーが、前記第一載架部に載架される第一ローラーと、前記第二載架部に載架される第二ローラーとからなり、前記外扉の上縁部に沿って、長手方向にほぼＬ字状の当接体が延設され、該当接体が、前記内扉の上端部に設けられた前記ローラーと当接し、前記内扉の後方側に設けられた前記第一ローラーの厚さが、前記内扉の前方側に設けられた前記第一ローラーの厚さよりも小さく、前記当接体に、前記内扉の前方側に設けられた第一ローラーの厚さよりも小さく、かつ後方側に設けられた前記第一ローラーの厚さよりも大きく形成された切欠きが設けられてなることを特徴とする。
【発明の効果】
【００１６】
本発明によれば、部材点数の増加によらず、開閉動作における扉の安定性を向上させ、扉のがたつきをなくすことができる。また、必要に応じて、内扉および外扉を左右引き違いに開閉させ、または連動させることができる。さらに、扉閉鎖時に、負荷を生じることなく、スムーズな開閉を可能とすることができる。
【発明を実施するための最良の形態】
【００１７】
以下、添付図面を参照しながら本発明の引き戸装置を詳細に説明する。
【００１８】
図１は、本発明の引き戸装置の一実施形態（実施の形態１）における断面図である。図２は、本発明の引き戸装置の一実施形態（実施の形態２）における断面図である。図３は、本発明の引き戸装置の一実施形態（実施の形態２）における正面断面図である。図４は、本発明の引き戸装置の一実施形態（実施の形態２）における開放途中の状態を説明するための上面図であり、図４（ｂ）は、図４（ａ）の部分拡大図である。図５は、本発明の引き戸装置の一実施形態（実施の形態３）における調節部材と当接体の動作を説明するための断面図であり、図５（ａ）は調節部材を締め、当接体が内扉のローラーから浮いた状態、図５（ｂ）は調節部材を緩め、当接体が内扉のローラーと当接した状態を説明するための断面図である。図６は、本発明の引き戸装置の一実施形態（実施の形態４）における断面図である。図７は、本発明の引き戸装置の一実施形態（実施の形態５）における上面図である。図８は、本発明の引き戸装置の一実施形態（実施の形態５）における断面図である。図９は、本発明の引き戸装置の一実施形態（実施の形態６）における上面図である。図１０は、本発明の引き戸装置の一実施形態（実施の形態６）における断面図である。
【００１９】
実施の形態１
実施の形態１の引き戸装置１は、図１に示されるように、下方向に開口した偏平なほぼＣ字断面を呈する固定レール２と、該固定レール２の開口面に設けられた載架部３に、ローラー４を介して支持された内扉５および外扉６とからなる。
【００２０】
固定レール２は、ローラー４を介して外扉６および内扉５を吊下げるための部材であり、前記ローラー４を介して外扉６および内扉５を横方向に転動し得るものである。また、固定レール２は、外扉６を載架する第一固定レール２ａと、内扉を載架する第二固定レール２ｂとからなる。固定レール２の上面には、鴨居などと固着するための取付用孔部７が設けられている。固定レール２は、該取付用孔部７を介してねじやくぎなどの取付具により固着される。なお、取付方法はねじやくぎといった取付部材に限定されることはなく、単に鴨居との設置面を接着剤で接着してもよく、当業者に自明の各種取付方法（接着方法）を採用することができる。また、固定レール２の材質としては、アルミニウムやステンレスが挙げられるが、本発明において特に限定されることなく、当業者に自明の各種素材を用いることができる。好ましくは軽量かつ充分な強度を併せ持つアルミニウムが用いられる。
【００２１】
前記載架部３は、固定レール２の内側方向に設けられた第一載架部３ａと、外側方向に設けられた第二載架部３ｂとからなり、第一載架部３ａには第一ローラー４ａ、第二載架部３ｂには第二ローラー４ｂが載架される。図１に示されるように、第一ローラー４ａと第二ローラー４ｂは、固定レール２の仕切部２ｃを介して離間されている。これにより、内扉５と外扉６、ローラー４を含めた重心の位置が、外扉６および内扉５の厚さ方向の中心線Ａと同軸上に形成され、かつ第一固定レール２ａおよび第二固定レール２ｂの仕切部２ｃの厚さ方向の重心と重なるため、内扉５および外扉６を開閉させた際の、扉進行方向と垂直な方向（図１における紙面左右方向）への安定性を高めることができる。また、急な開閉動作においても、内扉５と外扉６が互いに接触するほど振れることはなく、衝突による異音が発生することがない。したがって、通常の使用の範囲内において、別途緩衝部材（スペーサー）を設ける必要がない。なお、仕切部２ｃは、第一ローラー４ａと第二ローラー４ｂが、互いに離間され、かつ安定に転動し得るようガイドとなるものであればよく、図１に示されるように、第二固定レール２ｂの側面を代用してもよい。仮に、引き戸装置全体の軽量化等の目的で、固定レール２を、金属パイプ等を用いて骨組のみの構成とした場合（つまり輪郭のみで側面を有さないよう構成した場合）、扉を安定に転動させるため、仕切部２ｃを別途設けるとよい。ローラー４の材質としては、樹脂およびゴム材が挙げられるが、本発明において特に限定されることはなく、当業者に自明の各種素材を用いることができる。好ましくは載架部３において、スムーズに転動する必要があるため、エンジニアリング樹脂が用いられる。
【００２２】
さらに、内扉５と外扉６は、それぞれ別の載架部３に載架されるため、内扉５と外扉６は互いに引き違えて開閉することが可能である。これにより、各扉を重ね合わせて１個所に設けられた戸袋に収納することができ、従来のレールが１本の引き戸装置１（扉が２枚以上の場合は、それぞれの扉を収納するための戸袋が必要）と比べ、占有スペースを減らすことができる。
【００２３】
ローラー４は、ローラー支持部８を介してそれぞれの扉の上端部と接続されている。ローラー支持部８は、ローラー軸８ａと固着されたローラー軸受け８ｂとからなる。ローラー軸８ａとローラー軸受け８ｂとの固着は、リベット接合など、当業者に自明の各種固着方法を選択することができる。また、ローラー軸受け８ｂと内扉５および外扉６との固着は、ねじなどによって固着されているが、当業者に自明の各種固着部材、固着方法を選択することができ、たとえば別途固着用の金具（図示せず）を介してねじやくぎなどで固着してもよい。ローラー４およびローラー支持部８は、内扉５および外扉６に対して複数個所設けられている。ローラー支持部８を複数個所設けることにより、内扉５および外扉６の重量を固定レール２に分散することができ、固定レール２やローラー４の破損や磨耗を軽減することができ、さらに、内扉５および外扉６の転動時に、前後左右にがたつくことがなく、さらにスムーズに開閉することができる。
【００２４】
実施の形態２
実施の形態２の引き戸装置９は、図２に示されるように、外扉６の上縁部に沿って、長手方向にほぼＬ字状の当接体１０が延設され、該当接体１０が、前記内扉５の上端部に設けられた第一ローラー４ａと当接していること以外は、実施の形態１の引き戸装置１と同様である。
【００２５】
前記当接体１０は、外扉６の第一ローラー４ａに接続された当接体支持部１０ａにより延設されており、固着ねじ１１によって固着されている。固着方法は、当業者に自明の各種固着部材、固着方法を選択することができる。たとえばリベット接合であってもよい。
【００２６】
図２、図３、図４に示されるように、当接体１０は、内扉５の第一ローラー４ａと当接する位置に設けられているため、外扉６を転動すると、当接体１０を介して当接している内扉５にも外扉６の進行方向と同方向の力のモーメントが生じ、連動させることができる。なお、連動率（外扉６の移動距離に対する内扉５の移動距離の割合）は、内扉５の各ローラー４、外扉６の各ローラー４の大きさを選択すること、当接体１０の材質、当接の程度により自由に設定できる。
【００２７】
本実施の形態の引き戸装置９は、図２に示されるように、当接体１０の、内扉５の第一ローラー４ａとの接する面に、当接体１０の長手方向に沿ってゴム１２が固着されている。これにより、内扉５の第一ローラー４ａと接する際に摩擦抵抗を生じ、連動率を向上させることができる。また、ゴム１２によって、連動時のノイズを低減することができる。ゴム１２としては、天然ゴム、合成ゴムやエラストマーなどの各種弾性体が挙げられ、これらの素材の選択に際しては、本発明において特に限定されることなく、当業者に自明の各種素材を用いることができる。また、ゴム１２は、ローラー４の材質等によっては必須の構成ではなく、ローラー４に当業者が自明の材質を選択することにより、ゴム１２の設置の有無を選択することができる。
【００２８】
なお、本実施の形態では、外扉６の第一載架部３ａに載架された第一ローラー４ａについての当接体支持部１０ａに当接体１０が固着されている場合について詳述したが、本実施の形態の当接体１０は、これに限定されるものではなく、当接体支持部１０ａと当接体１０を一体成形してもよい。
【００２９】
実施の形態３
実施の形態３の引き戸装置１３は、図４に示されるように、当接体１０と内扉５の第一ローラー４ａの当接状態が、固着部材による固着を締めた際に解除され（図４（ａ）参照）、固着部材による固着を緩めた際に当接する（図４（ｂ）参照）ような構成をとる以外は、実施の形態２の引き戸装置９と同様である。なお、本実施の形態では、上記構成は実質的に固着ではないため、区別する目的で調節ねじ１４と称して説明するが、実施の形態２の固着ねじ１１と同じ構成である。
【００３０】
さらに、調節ねじ１４は、当接体１０の長手方向の中心位置付近に１個所設けられていても問題なく高さを調節できるが、好ましくは適度な間隔で、使用者の手間のかからない範囲で複数（たとえば当接体１０の両端付近に２個所）設けられていることが好ましい。これにより、当接体１０が内扉５の第一ローラー４ａと当接状態、非当接状態を選択することができ、内扉５と外扉６を別々に転動させることのみならず、連動させることも自由に選択可能である。
【００３１】
なお、図４に示されるように、ローラー４およびそれを支持するローラー支持部８は、それぞれの扉の両端付近に２個所設けられている。本実施の形態の引き戸装置１におけるローラー４およびローラー支持部８の個数はこれに限定されるものではなく、両端付近の２個所とは別に、さらに長手方向の中心付近に１個所設けてもよい。これにより、さらに安定かつスムーズな転動が可能である。ローラー４およびローラー支持部８の個数は、当業者に自明の範囲で適宜増減することが可能である。
【００３２】
実施の形態４
実施の形態４の引き戸装置１５は、図６に示されるように、固定レール２の上面に設けられた溝１６に、ほぼＬ字状の化粧板１７が挿入されているほかは実施の形態２の引き戸装置９と同様である。
【００３３】
前記化粧板１７は、固定レール２の上面に設けられた溝１６から、外側水平方向（図５の紙面左右方向）に延設された後、垂直方向（図５の紙面下方向）に延設される部材である。化粧板１７の水平方向の長さは、内扉５および外扉６の第二ローラー４ｂのローラー支持部８よりもさらに外側まで延設され、その後、垂直方向に、各ローラー４や、各ローラー支持部８が外部から視認されないよう延設されている。これにより、各ローラー４や各ローラー支持部８に対する埃等の堆積、湿気からの防御が可能である。また、外部から各ローラー４や各ローラー支持部８といった各部材が視認されないよう保護できるため、外観上の見栄えを向上させることが可能である。なお、化粧板１７の材質は、特に限定されるものではなく、金属製、木製等であってもよい。加工の利便性、コスト、強度等の観点から、アルミニウムが好ましい。
【００３４】
また、本実施の形態では、化粧板１７の形状がほぼＬ字状のものについて詳述したが、本実施の形態の化粧板１７の形状はこれに限定されるものではなく、溝１６に一端が挿入されたのちに、外方向の下方に延設される形状でもよく、当業者に自明の各種形状を採用することができる。さらに、溝１６に挿し込まれることなく、固定レール２と一体的に成形されていてもよく、その場合、部材点数が少なくて済み、かつ強度を高く保つことが可能となる。
【００３５】
実施の形態５
実施の形態５の引き戸装置１８は、図７に示されるように、内扉５に設けられたローラーのうち、扉開放動作における扉の進行方向の、後側に位置する第一ローラー１９ａ、第二ローラー１９ｂのローラー径のみが、他のローラーのローラー径よりも小さく形成されているほかは、実施の形態２の引き戸装置９と同様である。
【００３６】
図２、図７に示されるように、引き戸装置１８のＢ−Ｂ断面の形状は、図２の形状と同じであるが、Ｃ−Ｃ断面の形状は、図７、図８に示されるように、第一ローラー１９ａと第二ローラー１９ｂのローラー径が他のローラー４ａ、４ｂよりも小さく、当接体１０のゴム１２が接することがないよう形成されている。これにより、扉の開放時（建具収納時）に当接体１０のゴム１２が、第一ローラー１９ａに乗り上げることがなく、抵抗なくスムーズに扉の全開が可能である。
【００３７】
なお、本実施の形態では、第一ローラー１９ａと第二ローラー１９ｂが同径の場合について説明したが、本発明はこれに限定されるものではない。たとえば、第二ローラー１９ｂのローラー径は、他のローラー４ａ、４ｂのローラー径と同じであってもよく、載架する扉を安定に摺動させることができる範囲で適宜選択することが可能である。
【００３８】
実施の形態６
実施の形態６の引き戸装置２０は、図９、図１０に示されるように、内扉５に設けられたローラーのうち、扉開放動作における扉の進行方向の、後側に位置する第一ローラー２１の厚さが、前方に位置する第一ローラー４ａの厚さよりも小さく形成され、当接体１０のゴム２２に、切欠き２３が設けられているほかは、実施の形態２の引き戸装置９と同様である。図１０は、図９の引き戸装置２０のＤ−Ｄ断面の形状である。
【００３９】
切欠き２３の切欠き幅は、前記内扉の前方側に設けられた第一ローラー４ａの厚さよりも小さく、かつ後方側に設けられた前記第一ローラー２１の厚さよりも大きい。これにより、扉の開放時（建具収納時）に当接体１０のゴム２２が、第一ローラー２１と当接することなく、抵抗無くスムーズに扉の全開が可能である。また、扉を閉鎖する場合は、第一ローラー４ａの厚さは切欠き２３の切欠き幅よりも大きいため、常に当接したまま、２枚の扉を連動させることができる。
【００４０】
なお、本実施の形態では、当接体１０に設けられたゴム２２に切欠き２３が設けられた場合について述べたが、本発明はこれに限定されるものではなく、当接体１０にゴム２２を設けることなく、その場合は当接体１０そのものに切欠きを設けてよい。
【００４１】
本発明の引き戸装置は、たとえば押入れ等の入口に設けた場合に有効である。つまり、押入れのように、普段は閉鎖されている扉を有するものであって、どのようなものがどの位置に入っているか予めある程度分かる場合、すべての扉を開閉するのではなく、取り出すために必要な個所（必要な扉）のみを、必要なだけ開放すればよい。この場合はすべての扉が連動すると、逆に利便性が悪いので、使用者は調節部材を調節し、必要な扉だけが連動するよう（当接体が実施の形態３の図４（ａ）に示される状態となるよう）調節すればよい。
【００４２】
他にも、建具の内部に本発明の引き戸装置を設置した場合においては、通行に必要な分を開放すればよく、それが扉１枚分であれば実施の形態１の図１、または実施の形態３の図４（ａ）の構成を選択し、扉２枚分であれば、実施の形態２の図２、または実施の形態３の図４（ｂ）の構成を選択すればよい。
【００４３】
本実施の形態１〜６では、扉が２枚の場合について詳述したが、本発明の引き戸装置の構成はこれに限定されるものではなく、扉が３以上の複数枚であってもよい。３以上の複数枚の場合は、すべての扉を連動させることなく、必要な扉のみを開放することによって、たとえば押入れ中の物を効率よく取り出すことができ、さらに利用価値が高まる。もちろん連動させてもよく、扉が３以上の複数枚のときは、さらに開閉時の手間が省けることは明らかである。
【００４４】
また、本実施の形態１〜６では、各扉に設けられたローラーを載架する固定レールが、互いに水平位置に設けられている場合について詳述したが、本発明の引き戸装置の構成はこれに限定されるものではなく、各固定レールの水平位置が異なる場合（つまり各固定レールが水平位置に並行しない場合）であってもよい。
【００４５】
以上のように、本発明の引き戸装置を使用することにより、部材点数の増加によらず、開閉動作における扉の安定性を向上させ、扉のがたつきをなくすこと、また、必要に応じて、内扉および外扉を左右引き違いに開閉させ、または連動させることができる。
【図面の簡単な説明】
【００４６】
【図１】本発明の引き戸装置の一実施形態（実施の形態１）における断面図である。
【図２】本発明の引き戸装置の一実施形態（実施の形態２）における断面図である。
【図３】本発明の引き戸装置の一実施形態（実施の形態２）における正面断面図である。
【図４】本発明の引き戸装置の一実施形態（実施の形態２）における開放途中の状態を説明するための上面図である。
【図５】本発明の引き戸装置の一実施形態（実施の形態３）における調節部材と当接体の動作を説明するための断面図である。
【図６】本発明の引き戸装置の一実施形態（実施の形態４）における断面図である。
【図７】本発明の引き戸装置の一実施形態（実施の形態５）における上面図である。
【図８】本発明の引き戸装置の一実施形態（実施の形態５）における断面図である。
【図９】本発明の引き戸装置の一実施形態（実施の形態６）における上面図である。
【図１０】本発明の引き戸装置の一実施形態（実施の形態６）における断面図である。
【符号の説明】
【００４７】
１、９、１３、１５、１８、２０  引き戸装置
２  固定レール
２ａ  第一固定レール
２ｂ  第二固定レール
２ｃ  仕切部
３  載架部
３ａ  第一載架部
３ｂ  第二載架部
４、１９  ローラー
４ａ、１９ａ、２１  第一ローラー
４ｂ、１９ｂ  第二ローラー
５  内扉
６  外扉
７  取付用孔部
８  ローラー支持部
８ａ  ローラー軸
８ｂ  ローラー軸受け
１０  当接体
１０ａ  当接体支持部
１１  固着ねじ
１２、２２  ゴム
１４  調節ねじ
１６  溝
１７  化粧板
２３  切欠き
Ａ  中心線
【図１】
0005285308.tif 000002
【図２】
0005285308.tif 000003
【図３】
0005285308.tif 000004
【図４】
0005285308.tif 000005
【図５】
0005285308.tif 000006
【図６】
0005285308.tif 000007
【図７】
0005285308.tif 000008
【図８】
0005285308.tif 000009
【図９】
0005285308.tif 000010
【図１０】
0005285308.tif 000011